(57)【特許請求の範囲】
【請求項１】
海洋構造物の運搬および設置用船舶であって、
開口船尾（１２）およびフロア（３）の後縁（８）を超えて後部に伸びる側壁（４．１、４．２）に突起部（９．１、９．２）を備えたＵ形横断面を有する船体（２）と、
前記船体（２）の下方の位置で垂直方向に移動可能な底端を有し、船体を海底に固定する複数本の甲板昇降式脚柱（１６．１、１６．２、１６．３、１６．４）を対向する側壁に備えた前記船体（２）に組み込まれた甲板昇降式脚柱システム（１５．１、１５．２、１５．３、１５．４）と、
前記側壁（４．１、４．２）の上端（１９．１、１９．２）で移動可能なクレーン（２０）と、
を備えた海洋構造物の運搬および設置用船舶。
【請求項２】
請求項１に記載の船舶において、
前記クレーン（２０）は、クレーン橋梁（２２）を有する。
【請求項３】
請求項２に記載の船舶において、
前記クレーンは、側壁（４．１、４．２）の上端（１９．１、１９．２）で移動可能な支持体（２１．１、２１．２）上でクレーン橋梁（２２）を支持する門形クレーン（２０）である。
【請求項４】
請求項１ないし３に記載の船舶において、
航行中に前記突起部の底端が船体（２）の水位線（１１）の上方に位置するように、前記側壁（４．１、４．２）は、底部上の前記突起部（９．１、９．２）の領域が切り欠かれている。
【請求項５】
請求項１ないし４に記載の船舶において、
セミサブマーシブルである船体は、当該船体（２）に組み込まれたバラストタンクを備え、当該バラストタンクにバラスト水を充水するために汲み上げ、および／または、当該バラストタンクからバラスト水をくみ出す。
【請求項６】
請求項１ないし５に記載の船舶において、
３台の甲板昇降式脚柱システム（１５．１、１５．２、１５．３）を有し、
中央軸（１７）上の１台の甲板昇降式脚柱システム（１５．１）は、船体（２）の前部に組み込まれており、
２台の付加的な甲板昇降式脚柱システム（１５．２、１５．３）は、２つの側壁（４．１、４．２）の船体（２）の後部に組み込まれている。
【請求項７】
請求項１ないし５に記載の船舶において、
４台の甲板昇降式脚柱システム（１５．１、１５．２、１５．３、１５．４）を有し、
対向する２台の甲板昇降式脚柱システム（１５．１、１５．２）は、側壁（４．１、４．２）の船体（２）の前部に組み込まれ、
付加的な対向する２台の甲板昇降式脚柱システム（１５．３、１５．４）は、側壁（４．１、４．２）の後部（２）に組み込まれる。
【請求項８】
請求項１ないし７に記載の船舶において、
前記船体（２）の前方に甲板室（６）を有する。
【請求項９】
請求項１ないし８に記載の船舶において、
船用プロペラドライブおよび前後操縦支援を有する。
【請求項１０】
請求項１ないし９に記載の船舶において、
自動船位保持装置を有する。
【請求項１１】
請求項１ないし１０に記載の船舶において、
風力タービン（２３）の支持構造（２３．１）および／またはマスト（２３．２）を垂直に位置合わせされた状態で船体（２）に固定する装置を備える。
【請求項１２】
請求項１ないし１１に記載の船舶において、
風力タービン（２３）の支持構造（２３．１）および／またはマスト（２３．２）の台座および／またはラッシング・システム用の締付具を備える。
【請求項１３】
請求項１ないし１２に記載の船舶において、
風力タービン（２３）の複数台の支持構造（２３．１）またはマスト（２３．２）を船舶の前後軸方向に連続して、または、風力タービン（２３）のマスト（２３．２）と支持構造（２３．１）を交互に配置して備える。
【請求項１４】
請求項１ないし１３に記載の船舶において、
開口船尾（１２）を閉じるテールゲートを備える。
【請求項１５】
請求項１ないし１４に記載の船舶によって海洋構造物を運搬および設置する方法であって、
前記船舶（１）に海洋構造物（２３）を船積みし、
船積みされた前記船舶（１）を海洋構造物（２３）の設置位置に航行させ、
前記甲板昇降式脚柱（１６）を使用して設置位置の海底に船舶（１）を固定し、
前記設置位置で側壁（４．１、４．２）の後方突起部（９．１、９．２）の間から前記海洋構造物（２３）をクレーン（２０）によって下ろし、
前記甲板昇降式脚柱（１６）を海底（２４）から解放する。
【請求項１６】
請求項１５に記載の方法において、
船積みの前に、前記甲板昇降式脚柱（１６）によって港のフロア（２７）に船舶を固定し、
船積みの後に、前記甲板昇降式脚柱（１６）を港のフロア（２７）から解放する。
【請求項１７】
請求項１５または１６に記載の方法において、
前記バラストタンクを浸水させることによって海底（２４）に前記船舶が固定される場合、当該船舶（１）はより深く浸漬される。
【請求項１８】
請求項１５または１６に記載の方法において、
前記船舶（１）は、甲板昇降式脚柱（１６）によって船体（２）を水面から部分的に少なくとも持ち上げる。
【請求項１９】
請求項１５ないし１８に記載の方法において、
前記甲板昇降式脚柱（１６）が海底（２４）に固定されるまで、前記船舶は海洋構造物（２３）の設置位置で自動船位保持装置によって位置決めされる。
【請求項２０】
請求項１５ないし１９に記載の方法において、
前記突起部（９．１、９．２）が、海洋構造物（２３）の積換え場（２６）を取り囲むように、埠頭（２５）上で側壁（４．１、４．２）の後方突起部（９．１、９．２）を移動させて海洋構造物（２３）を船舶（２）に船積みし、
前記積換え場（２６）に載置された海洋構造物をクレーン（２０）によって持ち上げ、船体（２）に載置する。
【請求項２１】
請求項１６ないし２０の一つに記載の方法において、
前記船舶（１）に風力タービン（２３）を船積みし、
設置位置で前記風力タービン（２３）を設置する。
【請求項２２】
請求項２１に記載の方法において、
垂直に位置合わせされた前記風力タービン（２３）の支持構造（２３．１）および／またはマスト（２３．２）を船舶（１）に船積みし、
前記風力タービン（２３）の支持構造（２３．１）および／またはマスト（２３．２）  を設置位置に設置する。
【請求項２３】
請求項２２に記載の方法において、
前記風力タービン（２３）の複数台の支持構造（２３．１）または複数台のマスト（２３．２）を前後軸に連続して、または、風力タービン（２３）のマスト（２３．２）と支持構造（２３．１）を交互に船積みし、
前記支持構造（２３．１）を設置位置に設置し、または、風力タービン（２３）のマスト（２３．２）を風力タービン（２３）の支持構造（２３．１）に載置し、または、支持構造（２３．１）を設置し、支持構造上にマスト（２３．２）を載置する。
【請求項２４】
請求項１５ないし２３の一つに記載の方法において、
航行中に前記船舶の船倉をテールゲートによって閉じる。
【発明の詳細な説明】
【技術分野】
【０００１】
本発明は、海洋構造物の運搬および設置用船舶および海洋物構造物を運搬および設置する方法に関する。当該船舶および方法は、特に沖合の風力タービンを運搬し、設置することを目的とする。
【背景技術】
【０００２】
海上での風力タービンを作動は、高い平均風速による高エネルギー収量を見込める。したがって、多くの風力タービンは、海上に設置させるべきである。北海において、いくつかの広域は、風力タービンを設置するために指定されている。これらは、一般的に１２マイルのゾーンの外側に位置決められている。水深は、１０メートルからその２，３倍である。水深、しばしば４０から５０ｍにおよぶ。
【０００３】
風力発電基地Alpha Ventusを設置するとき、風力タービンは、オランダの会社HeeremaによってThialf platformを用いて設置された。これは、油田掘削装置を設置するために一般的に用いる非常に大きな１個の設備である。当該１個の設備は、設置施設に長期間にわたって設置されたままである。
【０００４】
ＷＯ２００４／０８７４９４Ａ２は、垂直的に位置合わせされる複数台の完成した風力タービンを移送するための船舶を記載している。当該船舶は、船倉から荷揚げ位置まで風力タービンを移送するための手段を備えている。さらに当該船舶は、風力タービンの支持構造上に少なくとも３箇所の荷揚げ位置で固定する締結具を具備する少なくとも３本の綱を有するウインチを備えている。支持構造上の荷揚げ位置に続いている綱の部分は、互いに水平に間隔を置いて配置されるように、荷揚げ位置に配置される。船舶は、ウインチが設置される後部に突き出ていているアームを有する。ウインチによって導かれる綱によって、風力タービンは、それらの支持構造と一緒に下ろすことができる。風力タービンは、レール上の船倉の位置から荷揚げ位置まで移送される。
【０００５】
ＷＯ２００７／０９１０４２Ａ１は、風力タービンと同じく海洋構造物を運搬するための方法および装置を記載している。これらは、風力タービンをまっすぐに地面にさし込むことができる支持フレームを有する。支持フレームは、直立配置で運搬船上に保持される風力タービンを荷揚げするために用いられる。運搬船は、搬送フレームが懸架されるピボット式クレーンアームを有する。風力タービンは、クレーンアームを揺動することによって、ドックから運搬船へと運ばれる。設置部位で、風力タービンは反対方向にクレーンアームを揺動することによって、用意された支持構造に載置される。支持構造は、支持フレームと相互作用するフレームを有する。支持フレームは、油圧制御脚を有する複数本の支柱を備えている。支持構造上のフレームは、最終的に脚が留まる支持構造物に対応する数を有する。脚は、油圧制御装置に応じて垂直軸に沿って移動可能であり、風力タービンを支持構造に搭載するための減衰装置を構成する。
【０００６】
【特許文献１】国際公開第ＷＯ２００４／０８７４９４Ａ２号
【特許文献２】国際公開第ＷＯ２００７／０９１０４２Ａ１号
【発明の開示】
【発明が解決しようとする課題】
【０００７】
しかしながら、Thialf platformを利用した場合、沖合の風力タービンを設置するには、１〜２日で済むが、その後、他の設置部位に牽引されることを必要とする。風力タービンを設置するために当該設備を使用することは、あまりにも時間と費用がかかり過ぎる。
普通の運搬船で海洋構造物を設置する場合、うねり、海流および風の影響によって著しく妨害される。
【０００８】
ＷＯ２００４／０８７４９４Ａ２に記載の特別な船舶の有する不利な点は、風力タービンが支持構造上に予め組立てられて移送される必要があるので、船荷が船舶より上に突き出ているということである。船舶に位置決めされる風力タービンの高さ、または、その数のそれぞれが増加するにつれて、船舶の安定は、ますます損なわれる。これは、船舶の輸送力および使用可能な能力を制限する。
【０００９】
ＷＯ ２００７／０９１０４２Ａ１に記載の船舶は、単一の風力タービンのマストを移送することだけに適している。支持構造は、別にセットされることを必要とする。据え付けの後、運搬船は、他の風力タービンを積み込むために、港に帰港しなければならない。多数の風力タービンが、風力発電所と同じくして設置されることを必要とする場合に問題となる。
【００１０】
この事情に鑑みて、本発明は、うねりおよび気象状況とは関係なく使用を可能にし、多数の海洋構造物が特定の時間内で運搬および設置を可能とする海洋構造物の運搬および設置する方法とその船舶を提供することを目的とする。
【課題を解決するための手段】
【００１１】
この目的は、請求項１の機能を有する船舶によって達成される。当該船舶の有利な実施態様は、従属項において言及される。
【００１２】
海洋構造物を運搬および設置するための本発明の船舶であって、
開口船尾およびフロアの後縁を超えて後部に伸びる側壁に突起部を備えたＵ形横断面を有する船体と、
前記船舶底部より下の位置で底端を垂直方向に移動可能となるように船体に組み込まれた甲板昇降式支柱を備える甲板昇降式支柱システムと、
少なくとも一つの側壁の上端で移動可能なクレーンを備える。
【００１３】
船体のＵ形横断面は、特に船舶強化に有利である。したがって、船舶は、特に重い海洋構造物を運搬するのに適している。船舶の流体力学と２つの構造の結合による付加的な効果は、甲板昇降式支柱システムが側壁に組み込みを可能にすることである。海洋構造物を設置する場合、甲板昇降式脚柱を下げることによって、船舶を海底に固定することができる。それによって船舶は、海流および風のうねりの影響に関係なく、安定可能に基準位置で支えられる。マストは。正確に垂直に位置合わせする必要があるので、この構成は、風力タービンを設置するのに有利である。さらに、Ｕ形横断面は、側壁の上端が移動可能なクレーン用のベースとして利用可能である点で有利である。したがって、クレーンは、船舶に船積みされる海洋構造物より上で移動することができる。船舶は、クレーンが移動可能な高い船倉を提供するために、フロアの上面に積込盤台を有することが好ましい。移動可能なクレーンによって、積込盤台に格納される海洋構造物は、積み込みができ、突起部へと移動可能である。船体は、突起部の間に積込盤台またはフロアのそれぞれを有さないので、海洋構造物を海底に下ろして設置することができる。船体の前後方向に連続して設置される複数個の海洋構造物は、単一の取外し装置の設置部位に持ってくることができ、順次に設置可能である。したがって、船舶は、特に使用するのに経済的である。クレーンの積荷輸送システムは、高い装着点で海洋構造物を握持することができるので、クレーンは、垂直に位置合わせされる海洋構造物を移送することができる。特に、船舶は、風力タービンのマストおよび垂直に位置合わせされた支持構造を移送および組立てることができる。風力タービンは、支持構造上に装着されるマストを有するユニットとして移送および下ろされる必要がない。したがって、船荷は、ＷＯ２００４／０８７４９４Ａ２の場合と同様に船舶の船体から高く伸びることはない。したがって、船舶は、使用の選択肢が広がる。
【００１４】
クレーンは、少なくとも一つの側壁の上端に配置されるレールシステムに沿って移動可能であることが好ましい。
【００１５】
一実施態様によれば、クレーンは、両側壁に支持されるクレーン橋梁を有する。運搬物は、それによって船舶の船体に好適に運ばれる。本発明は、クレーンが一側壁だけの上端に移動可能に配置される実施態様を含む。さらに、本発明は、個々に独立したクレーンが両側壁の上端で移動可能な実施態様を含む。
【００１６】
他の実施態様によれば、クレーンは、側壁の上端で移動可能な支持体上のクレーン橋梁を支持する門形クレーンである。門形クレーンとしては、船舶が背丈の高い海洋構造物を運搬および設置するために用いることができるように、そのクレーン橋梁を特に高く配置する。他の実施態様によれば、クレーンは、ガントリークレーンである。ガントリークレーンのクレーン橋梁は、側壁の上端で直接支持され、移動可能である。他の実施態様によれば、ガントリークレーンのクレーン橋梁は、側壁の上端の支持体によって支持されるレール上で移動可能である。当該船舶について、特に背丈の高い海洋構造物を運搬および設置できるように、クレーン橋梁は、高く配置される、
【００１７】
一実施態様によれば、航海中に突出部の底端が船体の水位線より上に配置されるように、側壁の突起部領域の底部が切り取られている。したがって、当該船舶は、埠頭の上方に船体を保ちつつ航行でき、海洋構造物の積換え場が、突起の間に配置されるように、その船尾がブラケットのように構成されている。積換え場に載置された海洋構造物は、当該船舶に配置され、船舶上に積み卸しするクレーンの助けを借りて積み込みが可能とされる。それ故に、船舶は、港のクレーンを使用せずに港の海洋構造物を積み込むことができる。したがって、港の船荷は、甲板昇降式脚柱を使用せずに積み込むことができる。甲板昇降脚を下ろすことによって船積みする場合、船舶は港のフロアに固定することが好ましい。
【００１８】
船舶は、船体に組み込まれたバラストタンクを備えたセミサブマーシブルであり、バラストタンクにバラスト水を充水するために汲み上げ、および／または、バラストタンクからバラスト水をくみ出す。船舶は、設置部位に空のバラストタンクを備えて航行することができる。船舶は、設置部位で水面より低くてより安定するように、水バラストタンクを浸水させることができる。本実施態様において、船舶の位置は、バラストによってさらに安定する。セミサブマーシブルとして構成される場合、船舶は、船荷を船尾から船積みする、および／または、船荷を降ろさなければならない他の搬送目的にも利用することができる。例えば、船舶は、開いた船尾との間で遊動可能な舟橋用鉄舟または他の未着貨物を移送するために用いることができる。
【００１９】
船舶は、安定した場所に固定するために少なくとも３台の甲板昇降式脚柱システムを備えることが好ましい。一実施態様によれば、船舶は、３台の甲板昇降式脚柱システムシステムを有し、１台の甲板昇降式脚柱システムは、船体前部の中心軸に組み込まれ、２台の他の甲板昇降式脚柱システムは、船体後部の２つの側壁に組み込まれる。
【００２０】
他の実施態様によれば、船舶は、４台の甲板昇降式脚柱システムを有し、２台の甲板昇降式脚柱システムが、船体前部の側壁に互いに対向するように組み込まれ、２台の他の甲板昇降式脚柱システムは、船体後部の側壁に互いに対向するように組み込まれる。本実施態様において、甲板昇降式脚柱システムの外形寸法は、前部甲板昇降式脚柱システムが、２台の後部甲板昇降式脚柱システムより大きな負荷にさらされる３台の甲板昇降式脚柱システムの実施形態の場合と同等になることはない。
【００２１】
船舶の船首は、船首突出部の有り無しで従来の方法で構成可能である。他の実施態様によれば、前記船舶は、甲板室が船体上の正面に配置される。船体上の正面に配置される甲板室は、船倉を規制しない。
【００２２】
船舶は、推進系を有することはいうまでもない。これは、種々方法で設計可能である。
一実施態様によれば、船舶は、船用プロペラ駆動装置および前後の操縦支援を有する。
一実施態様によれば、船舶は、船用プロペラ・ドライブおよび前後の操縦支援を有する。
船舶が甲板昇降式脚柱で固定される前に、船首姿勢制御に関連した船用プロペラ駆動装置は、船舶が設置部位および港に正確に位置決めされることを可能にする。あるいは、船舶の推進システムは、船舶が正確に操縦可能な方向舵プロペラを備えることができる。
【００２３】
他の実施態様によれば、船舶は、自動船位保持装置を有する。自動船位保持装置によって、船舶が海底に甲板昇降式脚柱で固定される前に、船舶は設置部位で自動的に位置決めされることが可能である。
【００２４】
他の実施態様によれば、船舶は、垂直に位置合わせされた風力タービンの支持構造および／またはマストを船体に固定するための設備を有する。他の実施態様において、固定設備は、支持構造および／またはマストが挿入可能に船体の表面に台座を備える。マストが穴の相互補間的な円形を有するねじ切りされたリングで載置可能なマストを固定するための円形の穴を台座は有することができる。ねじ込み継手を穴の円形に挿入することによって、マストは、船体に螺合される。一実施態様によれば、螺着されたリングがマストに配置される場合、ねじ込み継手が固定または解除可能となるように、台座は、船体のギャングウエイによって船体にアクセス可能である。
【００２５】
他の実施態様によれば、船体は、ラッシュシステム用の締付具を有する。これらは、必要に応じて、特にラッシュシステム用の締結具の端部とクランプ装置上の締結具を有する張力ケーブルおよび／またはロッドである。
【００２６】
船舶は、種々方法で海洋構造物を備えることができる。一実施態様によれば、船舶は、複数台の風力タービンの支持構造またはマストを船舶の前後軸方向に連続的に配置して均一に、または、風力タービンのマストと支持構造を交互に不均一に配置する。不均一に配備される場合、支持構造は最初に下ろされるので、１台の支持構造は、船舶の船尾の次に配置し、その次にマストを当該支持構造上に設置することが好ましい。船舶の場所は、変更する必要はない。船舶は、一群の支持構造によって追従される一群のマストを不均一に備えることも全く可能である。支持構造が下ろされた後、マストは支持構造に載置して取り付けることができる。この場合、少なくとも１回の位置変更が必要となる。
【００２７】
さらに、本発明は、請求項１５の特徴を有する方法によって解決される。
【００２８】
方法の有用な実施態様は、従属項において適用される。
【００２９】
先だって説明した請求項の一つによって船舶上の海洋構造物を運搬および設置する本発明に基づく方法であって、
前記船舶に海洋構造物を船積みし、
船積みした前記船舶を海洋構造物の設置部位に航行し、
前記甲板昇降式脚柱を利用して設置部位の海底に船舶を固定し、
前記設置部位で側壁の後方突起部の間から海洋構造物をクレーンによって下ろし、
前記甲板昇降式脚柱を海底から持ち上げる。
【００３０】
一実施態様によれば、船舶は、船積みされる前に甲板昇降式脚柱を有する港のフロアに固定され、当該甲板昇降式脚柱は船積み後、港のフロアから移動する。
【００３１】
一実施態様によれば、船舶は、バラストタンクを充水させることによって海底に固定される場合、より深く浸漬される。それによって海底は、堅固な基礎を備えるので、甲板昇降式脚柱の下が圧縮される。
【００３２】
他の実施態様によれば、船舶は、船体に備えた甲板昇降式脚柱によって水面から部分的に少なくとも持ち上げられる。これは、甲板昇降式脚柱への荷重を増加させて、より確実に船舶を海底に固定させる。船体が甲板昇降式脚柱によって水面から部分的に持ち上げられた場合、浮力が船体に作用する。この作用は、甲板昇降式脚柱で水面から完全に持ち上げることが可能な船体を備えた船舶の場合と同様のかなりの外形寸法を有する必要がないので、甲板昇降式脚柱システムを軽減する。
【００３３】
一実施態様によれば、甲板昇降式脚柱が固定されるまで、船舶は海洋構造物の設置部位で、および／または、自動船位保持装置を有する港の積込み部位で位置決めされる。
【００３４】
他の実施態様によれば、船舶は、後方突起部が海洋構造物の積換え場所を取り囲み、当該積換え場所に載置された海洋構造物がクレームによって持ち上げられ、船体に載置されるように、埠頭上に後方突起部を移動させて海洋構造物を船積みすることができる。
【００３５】
他の実施態様によれば、船舶は、積換え場所に載置される風力タービンを船積みする。
【００３６】
他の実施態様によれば、船舶は、垂直に位置合わせされた風力タービンの支持構造、および／または、マストを船積みし、風力タービンの支持構造および／またはマストは、設置場所に設置される。
【００３７】
他の実施態様によれば、船舶は、複数台の風力タービンの支持構造または風力タービンのマストを船舶の前後軸方向に連続して、または、風力タービンのマストと支持構造を交互に船積みし、当該支持構造は、設置位置に設置され、または、風力タービンのマストは、風力タービンの支持構造に載置され、または、交互に当該支持構造は設置され、風力タービンのマストは、当該支持構造上に載置される。
【００３８】
本発明は、例示的実施形態の図面に基づいて更に詳細に以下に記載されている。
【図面の簡単な説明】
【００３９】
【図１】図１ａは風力タービンの支持構造とマストを装備された３台の甲板昇降式脚柱システムを備えた船舶の側面図、図１ｂはその縦断面図および図１ｃはその平面図である。
【図２】図２ａは風力タービンの支持構造とマストを装備された４台の甲板昇降式脚柱システムを備えた船舶の側面図、図２ｂはその縦断面図および図２ｃはその平面図である。
【図３】航行中の図２に示す船舶の縦断面図である。
【図４】設置位置で甲板昇降式脚柱を下ろした図２に示す船舶の縦断面図である。
【図５】支持構造を持ち上げる図２に示す船舶の縦断面図である。
【図６】支持構造を下ろした図２に示す船舶の縦断面図である。
【図７】支持構造を下ろした図２に示す船舶の縦断面図である。
【図８】図３ｆはマストを持ち上げる図２に示す船舶の縦断面図である。
【図９】マストを移送する図２に示す船舶の縦断面図である。
【図１０】支持構造上にマストを位置合わせする図２に示す船舶の縦断面図である。
【図１１】支持構造上にマストを載置した図２に示す船舶の縦断面図である。
【図１２】甲板昇降式脚柱を下ろし、設置位置で海面から船体を持ち上げた状態を示す図２の船舶の縦断面図である。
【図１３】埠頭の風力タービン用積換え場に船舶を操舵する状態を示す縦断面図である。
【図１４】突起部の間で積換え場を取り囲む状態を示す縦断面図である。
【図１５】港のフロアに甲板昇降式脚柱を下ろした状態を示す縦断面図である。
【図１６】風力タービンのマストを持ち上げた状態を示す縦断面図である。
【図１７】船舶上でマストを下ろす状態を示す縦断面図である。
【図１８】移送位置にクレーンを移動させる状態を示す縦断面図である。
【図１９】支持構造を持ち上げる状態を示す縦断面図である。
【図２０】船体の位置合わせする状態を示す縦断面図である。
【図２１】取外し位置で門形クレームの位置合わせをする状態を示す縦断面図である。
【図２２】甲板昇降式脚柱を持ち上げた状態で埠頭から航行する様子を示す縦断面図である。
【図２３】図２３ａは支持構造を均一に配備した図２に示す船舶の側面図、図２３ｂはその縦断面図、図２３ｃはその平面図である。
【図２４】図２４ａは風力タービンのマストを均一に配備した図２に示す船舶の側面図、図２４ｂはその縦断面図、図２４ｃはその平面図である。
【発明を実施するための形態】
【００４０】
以下の異なる実施形態の説明において、対応する部分は、同じ引用符号を付すに留める。
【００４１】
図１に示すように、海洋構造物の運搬および設置用船舶１．１は、フロア３および側壁４．１、４．２を備えたＵ字形状横断面の船体２を有する。
【００４２】
船舶は、前方に従来の船首５を有する。さらに、甲板室６が、船舶上の前方域に配置されている。ヘリコプター・ランディングパッド７は、任意選択的に配備される。フロア３および側壁４．１、４．２は、甲板室６の後側壁と同様に、船体２の船倉を区切る。船体の側壁４．１、４．２は、フロア３の後縁８から突き出ている突起部９．１、９．２を有する。船舶が航行する場合、切欠き１０．１、１０．２を有する各突起部９．１、９．２は、その上端が水位線１１より上に配置される。したがって、船舶の船尾１２は、側面図においてブラケットの形状に構成されている。突起部９．１、９．２との間に、船体２は、大きな開口１３を有する。さらに、開口１３は、船尾１２の後方を開放している。
【００４３】
船体２において位置を決められる推進システム（図示せず）には、船用プロペラ駆動装置、前後操縦支援（例えば船首姿勢制御エンジン）および関連する駆動モータを備えている。
【００４４】
フロア３の表面には積込盤台１４がある。
【００４５】
さらに、甲板昇降式脚柱１６．１、１６．２、１６．３を備える甲板昇降式脚柱システム１５．１、１５．２、１５．３が、船体２に組み込まれている。甲板室６を直接に伴っている船体２の前部において、中央の中心軸１７に甲板昇降式脚柱システム１５．１が配置されている。船体２の後部において、２つの対向する付加的な甲板昇降式脚柱システム１５．２、１５．３が、側壁４．１、４．２に組み込まれている。各甲板昇降式脚柱システム１５．１、１５．２、１５．３には、甲板昇降式脚柱１６．１、１６．２、１６．３が案内されるトーションボックスが備えられている。甲板昇降式脚柱１６．１、１６．２、１６．３は、底端にスタンプ形の足１８を有する。甲板昇降式脚柱１６．１、１６．２、１６．３は、トーションボックス内を垂直に移動することができる。この目的のために、駆動装置は、例えば、ラックと係合する油圧シリンダまたは歯車を含む甲板昇降式脚柱システム１５．１、１５．２、１５．３に組み込まれる。例えば、甲板昇降式脚柱システム１５．１、１５．２、１５．３の駆動装置は、電動モータを有する。
【００４６】
側壁４．１、４．２の上端１９．１、１９．２に、門形クレーン２０が、レール上を移動可能に配備されている。門形クレーン２０は、ローラによって底部でレール上に案内される２つの側部支持体２１．１、２１．２を有する。その上部で、支持体２１．１，２１．２は、クレーン橋梁２２に橋絡される。荷揚げ手段を有する昇降ギア（図示せず）は、クレーン橋梁２２に配置される。
【００４７】
さらに、門形クレーン２０は、側壁４．１、４．２の上端１９．１、１９．２に沿って門形クレーン２０を移動するための駆動装置手段（図示せず）を有する。運搬物が、突起部９．１、９．２の間の開口１３から昇降ギアで下ろすことができるように、門形クレーン２０は、甲板室６のすぐ後の場所から突起部９．１、９．２まで移動することができる。
【００４８】
当該例において、船舶１．１は、２台の完成した風力タービン２３を備えている。風力タービン２３は、ロータ２３．３を有するジェネレータを支持する支持構造２３．１およびマスト２３．２に分けられる。支持構造２３．１およびマスト２３．２は、円錐形に構成された結合域に、垂直に取り付けることができる。支持構造２３．１は、三脚台として構成される。三脚台の各足は、海底に打ち込むことができる垂直ガイドスリーブの釘２３．４を備えている。この目的のために、杭打ち機は、船舶１．１の船上に担持される。これらは、釘２３．４の上端部に装着することができ、船舶１．１の電源によって可撓性を有する供給ラインによって作動させることができる。この電源は、電気的、流体圧作動または空気作用によることがありえる。
【００４９】
マスト２３．２および支持構造２３．１は、船舶１．１の前後方向に沿って交互一列に順番に配置され、支持構造２３．１は後部で位置決めされる。
【００５０】
風力タービン２３の支持構造およびマスト２３．２は、垂直に船荷デッキ１４に配置される。この位置において、それらは保持されるか、または、定着装置（図示せず）によってそれぞれ固定させることができる。図２における船舶１．２は、４台の甲板昇降式脚柱システム１５．１、１５．２、１５．３、１５．４を有するという点で、上記の一実施形態と異なる。当該船舶１．２において、側壁４．１、４．２に組み込まれた対向する２台の甲板昇降式脚柱システム１５．１、１５．２が前部にある。対照的に、甲板昇降式脚柱システムが、船舶１．２の中央軸１７にはない。船舶１．２は、船舶１．１より大きい船倉を有する。
【００５１】
図２によれば、門形クレーン２０は、船荷をピックアップおよび載置するに突起部９．１、９．２の上方の位置にある。船舶１．１のような船舶１．２は、風力タービン２３を船積みされる。
【００５２】
船舶または１．２は、波が入るのを防止するために航行中に閉じることができるテールゲート（図示せず）を船尾１２に適宜に有する。テールゲートは、船倉の後端、または、好ましくはフロア３の後縁８にそれぞれ配置され、好ましくは側壁４．１、４．２の上端まで伸びる。
【００５３】
図３において、自動船位保持装置によって、この場所に保たれる設置部位に到着する船舶が示されている。
【００５４】
図４によれば、足１８が堅固な海底２４．２上のスラッジライン２４．１および残物を貫通するように、甲板昇降式脚柱１６．１、１６．２、１６．３、１６．４は、設置位置に下ろされる。船体２に作用している浮力が、甲板昇降式脚柱システム１５．１、１５．２、１５．３、１５．４を軽減するように、船舶１．２は、甲板昇降式脚柱１６．１、１６．２、１６．３、１６．４によってわずかに持ち上げられるだけである。
【００５５】
図５によれば、門形クレーン２０が、船荷輸送手段（図示せず）で支持構造を持ち上げることができるように、当該門形クレーン２０は、後部支持構造２３．１の上で移動する。図６によれば、門形クレーン２０は、開口１３を通して突起部９．１、９．２の間に支持構造２３．１を下ろす。図７によれば、釘２２．４が打ち込まれるように、支持構造２３．１は海底２４に位置する。この位置では、支持構造２３．１の接続部分は、水位線１１より上に伸びている。
【００５６】
それから、図８に示す門形クレーン２０は、後部マスト２３．２に移動し、船荷輸送手段によって当該マスト２３．２を持ち上げる。図９および１０は、マスト２３．２が支持構造２３．１に移送される船舶１．２を示している。図１１によれば、マスト２３．２は、円錐接続部分で支持構造２３．１に結合される。船舶１．２は、甲板昇降式脚柱１６．１、１６．２、１６．３、１６．４によって支持されるので、支持構造２３．１は、非常に正確に垂直に位置合わせされ、マスト２３．２に容易に結合させることができる。
【００５７】
その後、甲板昇降式脚柱１６．１、１６．２、１６．３、１６．４は持ち上げられ、船舶１．２は、他の風力タービン２３の部分２３．１、２３．２が設置される他の設置位置に航行される。
【００５８】
図１２に図示される他の実施態様によれば、船体２が水位線１１より上に配置されるように、船舶１．２は甲板昇降式脚柱１６．１、１６．２、１６．３、１６．４によって持ち上げることができる。その効果は、船体および甲板昇降式脚柱システムに対するうねりからの負荷が実質的に減少させられるということである。
【００５９】
図１３−２２は、風力タービン２３を船積みするときの船舶１．２を示す。船舶１．２の船尾１２は、港の埠頭２５へと移動する。これを図１３に示す。図１４によれば、マスト２３．１が待機している突起部９．１、９．２との間に風力タービン２３用の積換え場所２６を取り囲むように船舶１．２は操舵される。この位置では、船舶１．２は、自動船位保持装置によって保持される。足１８が港のフロア２７を貫通するように、甲板昇降式脚柱１６．１、１６．２、１６．３、１６．４は下げられ、船舶１．２は、図１５に示すように、船積み場所に固定される。
【００６０】
その後、図１６に示すように、風力タービンがマスト２３．２と重なるまで、門形クレーン２０は突起部９．１、９．２へと移動する。船荷輸送手段は、マスト２３．２に固定され、マストは、図１７に示す場所に門形クレーン２０によって移送される。この位置において、マストは、適切な定着装置によって船体２に保持および固定される。
【００６１】
それから、門形クレーン２０は、図１８に示すように、後部へと移動する。支持構造２３．１は、突起部の間ですでに準備されている。門形クレーン２０は、図１９に示される位置の突起部９．１、９．２へと向けて移動する。船荷輸送手段は、支持構造２３．１を持ち上げ、門形クレーン２０は、図２０に示される船倉の位置で当該船荷輸送手段を持ち上げる。この図面において、他のマスト２３．２は、積換え場２６に既に載置されていることを示している。上記の方法において、船舶１．２は、図２１に示すように、２台の風力タービンが完全に配備されるまで、門形クレーン２０は、他のマスト２３．２および支持構造２３．１を持ち上げる。その後、図２２において、甲板昇降式脚柱１６．１、１６．２、１６．３、１６．４は、持ち上げられ、船舶１．２は設置位置に向かう。
【００６２】
図２３は、船舶１．２に５台の支持構造２３．１だけを備える構成を示す。例えば、航行困難な海および気象状況において、背丈のより高くない船荷を移送することが望ましい場合、この配備は、支持構造２３．１およびマスト２３．２からなる完成した風力タービン２３を配備することよりも好ましい。このような方法で船舶１．２に備えることにより、最初に支持構造２３．２だけが種々の設置位置に載置される。
【００６３】
図２４は、船舶１．２にマスト２３．２だけを備えた構成を示す。この配備は、好天の場合に好ましく、また、設置位置で既に載置されるマスト２３．２を有する支持構造２３．１が既に設置位置に載置されている場合に好ましい。
【図１】
0005639557.tif 000002
【図２】
0005639557.tif 000003
【図３】
0005639557.tif 000004
【図４】
0005639557.tif 000005
【図５】
0005639557.tif 000006
【図６】
0005639557.tif 000007
【図７】
0005639557.tif 000008
【図８】
0005639557.tif 000009
【図９】
0005639557.tif 000010
【図１０】
0005639557.tif 000011
【図１１】
0005639557.tif 000012
【図１２】
0005639557.tif 000013
【図１３】
0005639557.tif 000014
【図１４】
0005639557.tif 000015
【図１５】
0005639557.tif 000016
【図１６】
0005639557.tif 000017
【図１７】
0005639557.tif 000018
【図１８】
0005639557.tif 000019
【図１９】
0005639557.tif 000020
【図２０】
0005639557.tif 000021
【図２１】
0005639557.tif 000022
【図２２】
0005639557.tif 000023
【図２３】
0005639557.tif 000024
【図２４】
0005639557.tif 000025